(57)【要約】【課題】簡単な手続きでテレビ局の放送枠を購入し、地域に密着した広告情報をＣＡＴＶ網等を通じてテレビ放映することを可能とするシステムの実現。【解決手段】センターサーバ１２と、ユーザの操作するマルチメディア端末１３と、各テレビ局のサーバ１４とを備えた放送枠販売システム１０。センターサーバ１２は、各テレビ局の放送枠情報を格納しておく放送枠データベース６０と、端末１３から特定のテレビ局に関する放送枠情報の閲覧要求が出力された場合に、放送枠データベース６０から該当の放送枠情報を抽出して端末１３に送信する手段と、端末１３から特定の放送枠に対する購入要求が出力された場合に、放送枠にユーザのＩＤを関連付けて購入済みの登録をする手段と、端末１３から購入済みの放送枠に関して広告情報が送信された場合に、これを当該放送枠に関連付けて広告データベース５９格納する手段と、当該広告情報をテレビ局のサーバ１４に送信する手段とを備えた。【選択図】　　　　図３
2004129190.tif 000002
【特許請求の範囲】
【請求項１】
センターサーバと、通信ネットワークを介してセンターサーバと接続されたユーザの操作する通信端末と、通信ネットワークを介してセンターサーバと接続された各テレビ局のサーバとを備えた放送枠販売システムであって、
上記センターサーバは、各テレビ局の放送枠情報を格納しておく放送枠データベースと、
ユーザの通信端末から特定のテレビ局に関する放送枠情報の閲覧要求が出力された場合に、上記放送枠データベースから該当の放送枠情報を抽出し、当該通信端末に送信する手段と、
ユーザの通信端末から特定の放送枠に対する購入要求が出力された場合に、当該放送枠に当該ユーザのＩＤを関連付けて購入済みの登録をする手段と、
ユーザの通信端末から購入済みの放送枠に関して特定の広告情報が送信された場合に、当該広告情報を当該放送枠に関連付けて所定の記憶手段に格納する手段と、
当該広告情報を当該放送枠に係るテレビ局のサーバに送信する手段とを備えたことを特徴とする放送枠販売システム。
【請求項２】
センターサーバと、通信ネットワークを介してセンターサーバと接続されたユーザの操作する通信端末と、通信ネットワークを介してセンターサーバと接続された各テレビ局のサーバとを備えた放送枠販売システムであって、
上記センターサーバは、各テレビ局の放送枠情報を格納しておく放送枠データベースと、
ユーザの通信端末から特定のテレビ局に関する放送枠情報の閲覧要求が出力された場合に、上記放送枠データベースから該当の放送枠情報を抽出し、当該通信端末に送信する手段と、
ユーザの通信端末から特定の放送枠に対する予約要求が出力された場合に、当該放送枠に当該ユーザのＩＤを関連付けて予約済みの登録をする手段と、
ユーザの通信端末に対し、当該放送枠の放映料の決済を求めるメッセージを送信する手段と、
上記放映料の決済が完了したことを示す情報を受信した場合に、当該放送枠に当該ユーザのＩＤを関連付けて購入済みの登録をする手段と、
ユーザの通信端末から上記放送枠に関して特定の広告情報が送信された場合に、当該広告情報を当該放送枠に関連付けて所定の記憶手段に格納する手段と、
当該広告情報を当該放送枠に係るテレビ局のサーバに送信する手段とを備えたことを特徴とする放送枠販売システム。
【請求項３】
上記放送枠データベース内に格納された放送枠情報が、テレビ局の各番組内に設定された番組本編枠、スポット枠及びスポンサ枠に関する情報であり、
上記センターサーバは、ユーザの通信端末から特定のテレビ局に関する放送枠情報の閲覧要求が出力された場合に、番組選択用のＷｅｂファイルを送信する手段と、
ユーザの通信端末から特定の番組を選択する情報が送信された場合に、放送枠の種別選択用のＷｅｂファイルを送信する手段と、
ユーザの通信端末からスポット枠を選択する情報が送信された場合に、日付選択用のＷｅｂファイルを送信する手段と、
ユーザの通信端末から特定の日付を選択する情報が送信された場合に、該当日におけるスポット枠の空き情報を送信する手段と、
ユーザの通信端末から特定のスポット枠を選択する情報が送信された場合に、当該スポット枠に当該ユーザのＩＤを関連付けて予約済みの登録をする手段と、
ユーザの通信端末からスポンサ枠を選択する情報が送信された場合に、当該番組におけるスポンサ枠の空き情報が記述されたＷｅｂファイルを送信する手段と、
ユーザの通信端末から特定のスポンサ枠を選択する情報が送信された場合に、当該スポンサ枠に当該ユーザのＩＤを関連付けて予約済みの登録をする手段とを備えたことを特徴とする請求項２に記載の放送枠販売システム。
【請求項４】
上記センターサーバは、特定番組のスポンサ枠を購入したユーザに係る広告情報を登録しておく記憶手段と、
他のユーザの通信端末から当該番組に含まれるスポット枠の予約要求が出力された場合に、広告情報選択用のＷｅｂファイルを送信する手段と、
ユーザの通信端末から特定スポンサの広告情報を選択する情報が送信された場合に、該当の広告情報を送信する手段と、
当該ユーザのスポット枠の放映料に対し、所定の割引処理を実行する手段とを備えたことを特徴とする請求項３に記載の放送枠販売システム。
【請求項５】
上記センターサーバは、ユーザの通信端末から特定のスポンサ枠を選択する情報が送信された場合に、契約期間選択用のＷｅｂファイルを送信する手段と、
ユーザの通信端末から契約期間を特定する情報が送信された場合に、当該期間に応じた放映料を算出する手段と、
算出結果をユーザの通信端末に送信する手段とを備えたことを特徴とする請求項３または４に記載の放送枠販売システム。
【請求項６】
上記センターサーバは、ユーザの通信端末から番組単位で放送枠を確保することを求める情報が送信された場合に、番組中において当該ユーザに割り当てられる自由放送枠、他のユーザに割り当てられるスポンサ枠及びスポット枠の配分パターンが複数記述されたＷｅｂページを送信し、任意の配分パターンを選択するよう求める手段と、
ユーザの通信端末から特定の配分パターンを選択する情報が送信された場合に、当該配分パターンを当該ユーザのＩＤに関連付けて上記放送枠データベースに登録する手段と、
ユーザの通信端末から上記自由放送枠に関して番組本編情報または広告情報が送信された場合に、当該番組本編情報または広告情報を当該自由放送枠に関連付けて所定の記憶手段に格納する手段と、
当該番組本編情報または広告情報を当該自由放送枠に係るテレビ局のサーバに送信する手段とを備えたことを特徴とする請求項３〜５の何れかに記載の放送枠販売システム。
【請求項７】
上記センターサーバは、ユーザの通信端末に契約期間選択用のＷｅｂファイルを送信する手段と、
ユーザの通信端末から契約期間を特定する情報が送信された場合に、当該期間に応じた放映料を算出する手段と、
算出結果をユーザの通信端末に送信する手段とを備えたことを特徴とする請求項６に記載の放送枠販売システム。
【請求項８】
上記センターサーバは、各ユーザのプリペイド残高を登録しておく残高データベースと、
ユーザの通信端末から放送枠の購入要求が出力された際に、当該ユーザのプリペイド残額と当該放送枠の放映料とを比較し、プリペイド残額が放映料以上である場合に当該放送枠に当該ユーザのＩＤを関連付けて購入済みの登録をする手段と、
当該ユーザのプリペイド残額から放映料を引き落とす手段とを備えたことを特徴とする請求項１または２に記載の放送枠販売システム。
【請求項９】
上記ユーザの操作する通信端末は現金処理ユニットを備えており、
上記センターサーバは、ユーザの通信端末から放送枠の購入要求が出力された際に、当該放送枠の放映料に相当する現金の投入を促すメッセージを上記通信端末に送信する手段と、
上記現金処理ユニットから放映料分の現金の領収が完了したことを示す情報が出力された場合に、当該放送枠に当該ユーザのＩＤを関連付けて購入済みの登録をする手段とを備えたことを特徴とする請求項１または２に記載の放送枠販売システム。
【請求項１０】
上記センターサーバは、ユーザの通信端末から放送枠の購入要求が出力された際に、当該放送枠の放映料に相当する現金の支払を促すメッセージ及び当該放映料に関連付けられた請求番号を上記通信端末に送信する手段と、
上記請求番号に基づく現金の領収が完了したことを示す情報を受信した場合に、当該放送枠に当該ユーザのＩＤを関連付けて購入済みの登録をする手段とを備えたことを特徴とする請求項１または２に記載の放送枠販売システム。
【請求項１１】
上記ユーザの操作する通信端末は発券手段を備えており、
上記センターサーバは、ユーザの通信端末から放送枠の購入要求が出力された際に、当該放送枠の放映料に相当する現金の支払を促すメッセージを上記通信端末に送信する手段と、
請求金額及び伝票番号が記載された請求伝票を上記発券手段を通じて出力させる手段と、
上記請求伝票に基づく現金の領収が完了したことを示す情報を受信した場合に、当該放送枠に当該ユーザのＩＤを関連付けて購入済みの登録をする手段とを備えたことを特徴とする請求項１または２に記載の放送枠販売システム。
【請求項１２】
上記センターサーバは、ユーザの通信端末から放送枠の購入要求が出力された際に、当該放送枠の放映料の決済を促すメッセージを上記通信端末に送信する手段と、
当該通信端末からクレジットカード情報またはプリペイドカード情報が出力された場合に、当該カード情報及び決済金額情報をカード会社のコンピュータシステムに送信して、当該カードによる決済の可否を照会する手段と、
上記コンピュータシステムから肯定的な情報が送信された場合に、当該放送枠に当該ユーザのＩＤを関連付けて購入済みの登録をする手段とを備えたことを特徴とする請求項１または２に記載の放送枠販売システム。
【請求項１３】
上記ユーザの操作する通信端末は、画像の入力手段と、
音声の入力手段と、
テキストの入力手段と、
音声付きの動画ファイルを生成する手段と、
静止画ファイルを生成する手段と、
音声ファイルを生成する手段と、
テキストファイルを生成する手段と、
各ファイルを購入済みの放送枠に関連付けて上記センターサーバに送信する手段とを備え、
上記センターサーバは、各ファイルを当該放送枠に関連付けて所定の記憶手段に格納する手段とを備えたことを特徴とする請求項１〜１２の何れかに記載の放送枠販売システム。
【発明の詳細な説明】
【０００１】
【発明の属する技術分野】
この発明は放送枠販売システムに係り、特に、一般ユーザが通信ネットワーク経由でテレビの放送枠を予約・購入し、当該放送枠において特定の広告情報をテレビ放映することを可能とするシステムに関する。
【０００２】
【従来の技術】
現在、テレビやラジオ、新聞、雑誌等のマスメディアを通じて大量の広告情報が消費者に供給されている。
これらの広告情報に繰り返し接することで、広告対象である企業や商品、サービスに親しみを覚えるようになり、消費者を購買行動に導くことが可能となる。
流通機構が複雑化した現代社会においては、自社の商品やサービスの存在を消費者に浸透させるために、マスメディアを使った広告宣伝活動が不可欠となっている。
これらの中でも、特にテレビ広告の宣伝効果やステイタスの大きさは、他のメディアを通じた広告の及ぶところではない。
【０００３】
【発明が解決しようとする課題】
しかしながら、テレビ放送を通じた広告活動を継続するには、放送枠の確保及びＣＭの制作に多額の費用を要するため、余程の大企業でない限り利用することはできない。
本来、地域に根付いた中小零細の企業や商店であっても、自己の商圏内の消費者にテレビＣＭを通じてアピールすることは売上増加に有効であるが、費用の観点から二の足を踏まざるを得ず、新聞のチラシ広告を配布するのが関の山であった。
また、事業者以外の一般個人であっても、バザーやチャリティーコンサートの開催情報を地域の住民に広く告知したい場合があるが、やはり費用の観点からテレビＣＭを使った告知活動を行うことはなく、回覧板や掲示板を使った告知方法に依存しているのが現状である。
【０００４】
一方で、通信・放送分野における規制緩和の進展に伴い、従来の地上波放送以外に、ＣＡＴＶやＣＳ、ＢＳといった新たなテレビ放送サービスが登場しているが、各テレビ局とも爆発的に増加した放送枠を埋めるだけの魅力あるコンテンツの確保に苦労しているのが現状である。
【０００５】
この発明は、上記した従来の問題点を解決するために案出されたものであり、中小零細企業や商店、個人が簡単な手続きでテレビ局の放送枠を購入し、地域に密着した身近な広告情報をＣＡＴＶ網等を通じてテレビ放映することを可能とするシステムの実現を目的としている。
【０００６】
【課題を解決するための手段】
上記の目的を達成するため、請求項１に記載した放送枠販売システムは、センターサーバと、通信ネットワークを介してセンターサーバと接続されたユーザの操作する通信端末と、通信ネットワークを介してセンターサーバと接続された各テレビ局のサーバとを備えた放送枠販売システムであって、上記センターサーバは、各テレビ局の放送枠情報を格納しておく放送枠データベースと、ユーザの通信端末から特定のテレビ局に関する放送枠情報の閲覧要求が出力された場合に、上記放送枠データベースから該当の放送枠情報を抽出し、当該通信端末に送信する手段と、ユーザの通信端末から特定の放送枠に対する購入要求が出力された場合に、当該放送枠に当該ユーザのＩＤを関連付けて購入済みの登録をする手段と、ユーザの通信端末から購入済みの放送枠に関して特定の広告情報が送信された場合に、当該広告情報を当該放送枠に関連付けて所定の記憶手段に格納する手段と、当該広告情報を当該放送枠に係るテレビ局のサーバに送信する手段とを備えたことを特徴としている。
ここで「放送枠情報」とは、各テレビ局の放送スケジュール中の空き情報のことであり、例えば日時情報（２００２年７月３１日１９時３０分００秒〜１５秒等）及び単価情報（１コマ７，０００円等）からなる。
【０００７】
この放送枠販売システムの場合、ユーザはコンビニエンスストア（以下「コンビニ」）等に設置されたマルチメディア端末や、自宅のパソコンなどの通信端末を操作することで、通信ネットワーク経由で各テレビ局の放送枠を購入すると共に、当該放送枠において放映すべき広告情報をアップロードすることが可能となる。
このため、従来のように大手の広告代理店を通して放送枠を確保したりＣＭを制作する場合に比べ、低コストでテレビＣＭを打つことが可能となる。
特に、各地のＣＡＴＶ局を全国規模で組織すると共に、各ＣＡＴＶ局の放送枠をユーザが自由に指定できるように仕組むことにより、地域に密着した身近な広告情報を、当該地域を管轄するＣＡＴＶ局を通じて重点的かつ効率的に放映することが可能となる。
放送枠の購入代金（放映料）の決済方法に限定はなく、請求書に基づく後払いも可能である。
【０００８】
また、請求項２に記載した放送枠販売システムは、センターサーバと、通信ネットワークを介してセンターサーバと接続されたユーザの操作する通信端末と、通信ネットワークを介してセンターサーバと接続された各テレビ局のサーバとを備えた放送枠販売システムであって、上記センターサーバは、各テレビ局の放送枠情報を格納しておく放送枠データベースと、ユーザの通信端末から特定のテレビ局に関する放送枠情報の閲覧要求が出力された場合に、上記放送枠データベースから該当の放送枠情報を抽出し、当該通信端末に送信する手段と、ユーザの通信端末から特定の放送枠に対する予約要求が出力された場合に、当該放送枠に当該ユーザのＩＤを関連付けて予約済みの登録をする手段と、ユーザの通信端末に対し当該放送枠の放映料の決済を求めるメッセージを送信する手段と、上記放映料の決済が完了したことを示す情報を受信した場合に、当該放送枠に当該ユーザのＩＤを関連付けて購入済みの登録をする手段と、ユーザの通信端末から上記放送枠に関して特定の広告情報が送信された場合に、当該広告情報を当該放送枠に関連付けて所定の記憶手段に格納する手段と、当該広告情報を当該放送枠に係るテレビ局のサーバに送信する手段とを備えたことを特徴としている。
【０００９】
この場合、ユーザは放送枠の正式購入前に予約を入れて放送枠を確保しておくことが可能となる。
なお、上記「決済が完了したことを示す情報」は、ユーザの操作する端末自体に決済処理機能が備わっている場合には当該端末から送信されるが、他の決済処理端末、あるいは金融機関の決済処理用ホストコンピュータから送信される場合もある。さらには、金融機関等から決済完了の通知を受けた後、システム運用者の操作する通信端末から送信される場合も含まれる。
【００１０】
請求項３に記載した放送枠販売システムは、請求項２のシステムを前提としつつ、上記放送枠データベース内に格納された放送枠情報が、テレビ局の各番組内に設定された番組本編枠、スポット枠及びスポンサ枠に関する情報であり、上記センターサーバが、ユーザの通信端末から特定のテレビ局に関する放送枠情報の閲覧要求が出力された場合に、番組選択用のＷｅｂファイルを送信する手段と、ユーザの通信端末から特定の番組を選択する情報が送信された場合に、放送枠の種別選択用のＷｅｂファイルを送信する手段と、ユーザの通信端末からスポット枠を選択する情報が送信された場合に、日付選択用のＷｅｂファイルを送信する手段と、ユーザの通信端末から特定の日付を選択する情報が送信された場合に、該当日におけるスポット枠の空き情報を送信する手段と、ユーザの通信端末から特定のスポット枠を選択する情報が送信された場合に、当該スポット枠に当該ユーザのＩＤを関連付けて予約済みの登録をする手段と、ユーザの通信端末からスポンサ枠を選択する情報が送信された場合に、当該番組におけるスポンサ枠の空き情報が記述されたＷｅｂファイルを送信する手段と、ユーザの通信端末から特定のスポンサ枠を選択する情報が送信された場合に、当該スポンサ枠に当該ユーザのＩＤを関連付けて予約済みの登録をする手段とを備えたことを特徴としている。
【００１１】
この場合、ユーザは特定の番組中に自己の広告情報を放映することが可能となる。例えば、ペット関連の商品やサービスについて宣伝する場合、これと関係の深い番組中でＣＭを流す方が無関係の番組中で流すよりも高い効果が期待できる。
しかもユーザは、目的や予算に応じて２種類の放送枠を使い分けることが可能となる。すなわち、「スポット枠」を選択した場合には特定の日付において単発的に広告を打つことが可能となり、「スポンサ枠」を選択した場合には特定の番組において継続的に広告を打つことが可能となる。
【００１２】
請求項４に記載した放送枠販売システムは、請求項３のシステムを前提とし、さらに上記センターサーバが、特定番組のスポンサ枠を購入したユーザに係る広告情報を登録しておく記憶手段と、他のユーザの通信端末から当該番組に含まれるスポット枠の予約要求が出力された場合に、広告情報選択用のＷｅｂファイルを送信する手段と、ユーザの通信端末から特定スポンサの広告情報を選択する情報が送信された場合に、該当の広告情報を送信する手段と、当該ユーザのスポット枠の放映料に対し、所定の割引処理を実行する手段とを備えたことを特徴としている。
この場合、ユーザが特定の番組に関してスポンサ枠を確保すると、他のユーザが当該番組に関してスポット枠の予約をする際に、自己の広告情報が他のユーザの通信端末に転送され、閲覧される機会を得ることとなる。
また、当該広告情報を閲覧したユーザにも、スポット枠の放映料が割引となるメリットが生じる。
【００１３】
請求項５に記載した放送枠販売システムは、請求項３または４のシステムを前提とし、さらに上記センターサーバが、ユーザの通信端末から特定のスポンサ枠を選択する情報が送信された場合に、契約期間選択用のＷｅｂファイルを送信する手段と、ユーザの通信端末から契約期間を特定する情報が送信された場合に、当該期間に応じた放映料を算出する手段と、算出結果をユーザの通信端末に送信する手段とを備えたことを特徴としている。
【００１４】
請求項６に記載した放送枠販売システムは、請求項３〜５のシステムを前提とし、さらに上記センターサーバが、ユーザの通信端末から番組単位で放送枠を確保することを求める情報が送信された場合に、番組中において当該ユーザに割り当てられる自由放送枠、他のユーザに割り当てられるスポンサ枠及びスポット枠の配分パターンが複数記述されたＷｅｂページを送信し、任意の配分パターンを選択するよう求める手段と、ユーザの通信端末から特定の配分パターンを選択する情報が送信された場合に、当該配分パターンを当該ユーザのＩＤに関連付けて上記放送枠データベースに登録する手段と、ユーザの通信端末から上記自由放送枠に関して番組本編情報または広告情報が送信された場合に、当該番組本編情報または広告情報を当該自由放送枠に関連付けて所定の記憶手段に格納する手段と、当該番組本編情報または広告情報を当該自由放送枠に係るテレビ局のサーバに送信する手段とを備えたことを特徴としている。
【００１５】
この場合、ユーザは特定のテレビ局の番組自体を自ら構成することが可能となる。
すなわち、最初に配分パターンを選択することによって番組中の放送枠の分布を決定し、つぎに自己に割り当てられた自由放送枠において放映するコンテンツをアップロードすることにより、番組本編及び広告をテレビ放映することができる。番組中の残りの放送枠は、スポンサ枠及びスポット枠として他のユーザに開放される。
ここでいう「番組単位」には、１回限りの単発番組はもちろんのこと、週１回放送される番組、毎日放送される番組などが含まれる。
番組の長さにも特に限定はなく、１時間番組、２時間番組など、テレビ局の側で自由に設定することができる。
【００１６】
請求項７に記載した放送枠販売システムは、請求項６のシステムを前提とし、さらに上記センターサーバが、ユーザの通信端末に契約期間選択用のＷｅｂファイルを送信する手段と、ユーザの通信端末から契約期間を特定する情報が送信された場合に、当該期間に応じた放映料を算出する手段と、算出結果をユーザの通信端末に送信する手段とを備えたことを特徴としている。
【００１７】
請求項８に記載した放送枠販売システムは、請求項１または２のシステムを前提とし、さらに上記センターサーバが、各ユーザのプリペイド残高を登録しておく残高データベースと、ユーザの通信端末から放送枠の購入要求が出力された際に、当該ユーザのプリペイド残額と当該放送枠の放映料とを比較し、プリペイド残額が放映料以上である場合に当該放送枠に当該ユーザのＩＤを関連付けて購入済みの登録をする手段と、当該ユーザのプリペイド残額から放映料を引き落とす手段とを備えたことを特徴としている。
この場合、放映料の決済にユーザのプリペイド残高（予納金）が適用され、決済完了後に購入済みの登録がなされるため、放映料の貸倒が生じる危険性がない。ただし、放送事故などで広告情報の放送ができなかった場合には、当然ながら放映料は返金される（以下同様）。
【００１８】
請求項９に記載した放送枠販売システムは、請求項１または２のシステムを前提とし、さらに上記ユーザの操作する通信端末が現金処理ユニットを備え、上記センターサーバが、ユーザの通信端末から放送枠の購入要求が出力された際に、当該放送枠の放映料に相当する現金の投入を促すメッセージを上記通信端末に送信する手段と、上記現金処理ユニットから放映料分の現金の領収が完了したことを示す情報が出力された場合に、当該放送枠に当該ユーザのＩＤを関連付けて購入済みの登録をする手段とを備えたことを特徴としている。
この場合、放映料が現金決済され、決済完了後に購入済みの登録がなされるため、放映料の貸倒が生じる危険性がない。
なお、上記「放映料分の現金の領収が完了したことを示す情報が出力された場合」とは、当該情報が通信端末からダイレクトに送信される場合のみならず、他の決済ネットワークや決済サーバ経由で送信される場合も含むものとする。
【００１９】
請求項１０に記載した放送枠販売システムは、請求項１または２のシステムを前提とし、さらに上記センターサーバが、ユーザの通信端末から放送枠の購入要求が出力された際に、当該放送枠の放映料に相当する現金の支払を促すメッセージ及び当該放映料に関連付けられた請求番号（文字列やバーコード）を上記通信端末に送信する手段と、上記請求番号に基づく現金の領収が完了したことを示す情報を受信した場合に、当該放送枠に当該ユーザのＩＤを関連付けて購入済みの登録をする手段とを備えたことを特徴としている。
この場合も、放映料が現金決済され、決済完了後に購入済みの登録がなされるため、放映料の貸倒が生じる危険性がない。
上記「請求番号に基づく現金の領収が完了したことを示す情報」は、例えばコンビニ内に設置されたＰＯＳレジ端末から出力され、コンビニ本部が管理する決済サーバ経由でセンターサーバに送信される。
【００２０】
請求項１１に記載した放送枠販売システムは、請求項１または２のシステムを前提とし、さらに上記ユーザの操作する通信端末が発券手段を備えており、上記センターサーバが、ユーザの通信端末から放送枠の購入要求が出力された際に、当該放送枠の放映料に相当する現金の支払を促すメッセージを上記通信端末に送信する手段と、請求金額及び伝票番号が記載された請求伝票を上記発券手段を通じて出力させる手段と、上記請求伝票に基づく現金の領収が完了したことを示す情報を受信した場合に、当該放送枠に当該ユーザのＩＤを関連付けて購入済みの登録をする手段とを備えたことを特徴としている。
この場合も、放映料が現金決済され、決済完了後に購入済みの登録がなされるため、放映料の貸倒が生じる危険性がない。
また、上記「請求伝票に基づく現金の領収が完了したことを示す情報」は、例えばコンビニ内に設置されたＰＯＳレジ端末から出力され、コンビニ本部が管理する決済サーバ経由でセンターサーバに送信される。
【００２１】
請求項１２に記載した放送枠販売システムは、請求項１または２のシステムを前提とし、さらに上記センターサーバが、ユーザの通信端末から放送枠の購入要求が出力された際に、当該放送枠の放映料の決済を促すメッセージを上記通信端末に送信する手段と、当該通信端末からクレジットカード情報またはプリペイドカード情報が出力された場合に、当該カード情報及び決済金額情報をカード会社のコンピュータシステムに送信して、当該カードによる決済の可否を照会する手段と、上記コンピュータシステムから肯定的な情報が送信された場合に、当該放送枠に当該ユーザのＩＤを関連付けて購入済みの登録をする手段とを備えたことを特徴としている。
この場合、放映料がクレジットカードや汎用のプリペイドカードにて決済され、決済完了後に購入済みの登録がなされるため、放映料の貸倒が生じる危険性がない。
【００２２】
請求項１３に記載した放送枠販売システムは、請求項１〜７のシステムを前提とし、さらに上記ユーザの操作する通信端末が、画像の入力手段（ＣＣＤカメラ等）と、音声の入力手段（マイク）と、テキストの入力手段と、音声付きの動画ファイルを生成する手段と、静止画ファイルを生成する手段と、音声ファイルを生成する手段と、テキストファイルを生成する手段と、各ファイルを購入済みの放送枠に関連付けて上記センターサーバに送信する手段とを備え、上記センターサーバは、各ファイルを当該放送枠に関連付けて所定の記憶手段に格納する手段とを備えたことを特徴としている。
この結果ユーザは、コンビニ内のマルチメディア端末や自宅のパソコン等を利用して手軽に広告情報を作成すると共に、そのままセンターサーバにアップロードすることができる。
【００２３】
【発明の実施の形態】
図１は、この発明に係る放送枠販売システム１０の全体イメージを示すものであり、センターサーバ１２と、このセンターサーバ１２と専用回線を介して接続されたマルチメディア端末１３と、ＣＡＴＶ用広告関連情報管理サーバ１４と、クレジットカード会社のホストコンピュータ１５と、プリペイドカード会社のホストコンピュータ１６と、コンビニ本部の管理する決済サーバ２１と、インターネット１７を介して接続されたユーザのパソコン１８とを備えている。
【００２４】
上記ＣＡＴＶ用広告関連情報管理サーバ１４には、ＣＡＴＶ網１９を介して多数のＣＡＴＶ加入者が管理するテレビ２０が接続されている。センターサーバ１２から供給された広告情報は、個別に設定された放送スケジュールに従い、このＣＡＴＶ用広告関連情報管理サーバ１４から放送機器を経由して各家庭のテレビ２０に接続されたセットトップボックスに配信され、テレビ放映される。
上記決済サーバ２１には、コンビニ店内に設置されたＰＯＳレジ端末２２が専用回線等を介して接続されている。
【００２５】
上記マルチメディア端末１３は、駅の構内やコンビニ内、公共施設内、商店街の空き店舗を再利用した店舗内等に設置されている。
図２は、このマルチメディア端末１３のハードウェア構成例を示すブロック図であり、ＣＰＵ３０と、バスを介してＣＰＵ３０と接続されたメモリ（ＲＯＭ及びＲＡＭ）３１と、ハードディスク装置３２と、ＣＦカードドライブ３３と、ＳＤカードドライブ３４と、現金処理ユニット３５と、カードリーダ３６と、ディスプレイ（ＣＲＴ）３８と、タッチパネル３９と、ＣＣＤカメラ４０と、マイク４１と、スピーカ４２と、通信制御装置（ＴＡ等）４３と、発券ユニット（プリンタ）４４とを備えている。
【００２６】
また、ユーザのパソコン１８は、ＣＰＵと、メモリと、ハードディスク装置とを備えており、ＣＦカードドライブまたはＳＤカードドライブと、ＣＣＤカメラと、マイクと、スピーカと、キーボードと、マウスと、通信制御装置（ブロードバンドモデム等）と、プリンタとが接続されている（図示省略）。
【００２７】
図３は、このシステム１０の主要な機能構成を示すブロック図であり、センターサーバ１２は、ユーザ登録部５０と、認証処理部５１と、広告作成支援部５２と、広告情報登録部５３と、放送枠登録部５４と、予約処理部５５と、決済処理部５６と、広告情報配信部５７と、ユーザデータベース５８と、広告データベース５９と、放送枠データベース６０と、予約データベース６１とを備えている。
上記ユーザ登録部５０、認証処理部５１、広告作成支援部５２、広告情報登録部５３、放送枠登録部５４、予約処理部５５、決済処理部５６、広告情報配信部５７は、センターサーバ１２を構成するコンピュータのＣＰＵが、ＯＳ及び専用のアプリケーションプログラムに従って必要な処理を実行することによって実現される。
また、上記ユーザデータベース５８、広告データベース５９、放送枠データベース６０、予約データベース６１は、同コンピュータのハードディスク内に格納されている。
【００２８】
ユーザがこのシステムを利用するためには、自宅のパソコン１８やコンビニのマルチメディア端末１３を利用して、事前にメンバー登録を済ませておく必要がある。
以下、図４のフローチャートに従い、メンバー登録に係る処理手順について説明する。
まずユーザは、図５に示すように、マルチメディア端末１３のタッチパネル付きのディスプレイ３８上に表示されたサービスメニューの中から、▲１▼「メンバー登録」ボタンをタッチする。
これを受けたセンターサーバ１２のユーザ登録部５０は（Ｓ１０）、図６に示す個人情報入力フォーム６２をマルチメディア端末１３に送信する（Ｓ１１）。
これに対しユーザは、ディスプレイ３８上に表示されるソフトウェアキーボード（図示省略）を介して必要情報を選択・入力し、「登録」ボタンをタッチする。この個人情報を受信したユーザ登録部５０は（Ｓ１２）、ユニークなメンバーＩＤに関連付けて当該個人情報をユーザデータベース５８内に仮登録する（Ｓ１３）。
つぎに、ユーザ登録部５０はマルチメディア端末１３の発券ユニット４４に指令を発し、メンバーＩＤの記述された仮メンバーカード６３を発行させる（Ｓ１４）。
【００２９】
このシステム１０は、公共性の強いテレビを通じて自作の広告情報を放映することを一般ユーザに認めるものであるため、電話による本人確認等を済ませ、システム運用者から利用契約書や利用説明書、正式メンバーカード等が送付されたことを条件に正式メンバーとして承認され、実際のテレビ放送が許可されるという建前を採っている。
しかしながら、契約書類が送付されるまでには一定の時間が掛かるため、上記の仮メンバーカードを利用して一定範囲内でこのシステムを利用することがユーザに認められる（詳細は後述）。
【００３０】
ユーザが自宅のパソコン１８からメンバー登録を行う場合、インターネット１７経由でセンターサーバ１２のＷｅｂサイトにアクセスし、サービスメニュー中から「メンバー登録」を選択する。この結果、図７（ａ）に示すように、センターサーバ１２のユーザ登録部５０から個人情報入力フォーム６４がされ、パソコン１８の画面に表示される。
これに対しユーザは、パソコン１８のキーボードやマウスを操作して必要情報を入力し、「送信」ボタンをクリックする。
この個人情報を受信したユーザ登録部５０は、メンバーＩＤに関連付けてユーザデータベース５８内に仮登録する。また、ユーザ登録部５０は当該ユーザのメンバーＩＤが記載された告知フォームをパソコン１８に送信し、画面表示させる（図７（ｂ））。
ユーザは、正式なメンバーカードが送付されるまでの間、この仮メンバーＩＤを利用して一定範囲のサービスを受けることが可能となる。
【００３１】
ユーザは、コンビニ等において、書面を用いてこのシステム１０に加入することもできる。この場合、ユーザはコンビニ等のスタッフから図８に示す登録用紙６５を受け取る。この用紙６５には、予めＩＤ番号が割り振られている。
この用紙６５に氏名、住所等の必要事項を記入したユーザは、これをスタッフに手渡す。これを受けたスタッフは、ミシン目に沿って仮メンバーカードの紙片６６を切り取り、ユーザに交付する。
ユーザは、正式なメンバーカードが送付されるまでの間、この仮メンバーＩＤを利用して一定範囲のサービスを受けることが可能となる。
登録用紙６５の残りの部分はシステム運用者に送付された後、入力専門スタッフの手によって記載内容がタイプ入力され、ユーザ登録部５０を通じてユーザデータベース５８内に仮登録される。
【００３２】
仮メンバー登録を済ませたユーザは、マルチメディア端末１３あるいはパソコン１８を用いて放送枠の予約を行う。
以下、図９のフローチャートに従い、放送枠の予約に係る処理手順について説明する。
まず、マルチメディア端末１３から放送枠の予約を行う場合、ユーザは図５のメニュー画面において▲２▼「放送枠予約」ボタンをタッチする。
これを受けたセンターサーバの認証処理部５１からは（Ｓ２０）、図１０（ａ）に示すように、メンバーＩＤの入力を求めるフォーム６７が送信される（Ｓ２１）。
これに対してユーザが自己のＩＤを入力して「決定」ボタンをタッチすると、認証処理部５１はユーザデータベース５８を参照して当該ユーザの正当性を確認する（Ｓ２２）。
この認証ステップをクリアすると、予約処理部５５から図１０（ｂ）や（ｃ）に示す放送地域選択フォーム６８が送信される（Ｓ２３）。
この放送地域選択フォーム６８に従ってユーザが「千葉県」の「浦安市」を選択すると、この地域選択情報を受信した予約処理部５５は（Ｓ２４）、放送枠データベース６０から浦安地区をテリトリーとするＣＡＴＶ局（浦安テレビ）の放送枠情報を抽出し、マルチメディア端末１３に送信する（Ｓ２５）。
この結果、図１１（ａ）に示すように、「浦安テレビ」の７月分の放送枠一覧表６９がマルチメディア端末１３のディスプレイ３８上に表示される。もちろん、スクロールボタン（図示省略）をタッチすることにより、隠れている日時の放送枠を表示させることができる。
【００３３】
ここで、「済み」の文字が表記されている放送枠（コマ）７０は、既に他人による予約及び支払が完了しており、選択不可能な状態にあることを示している。
また、「予約中」の文字が表記されている放送枠７０は、他人の先約が入っているが支払が完了していない段階であるため、キャンセルの可能性も若干残っていることを示している。
これに対し、「空き」の文字が表記されている放送枠７０は、先約が入っていないため自由に選択可能であることを示している。
【００３４】
ここでユーザは、例えば７月１１日（木）の１９時００分００秒〜１５秒の放送枠７０をタッチして選択状態とした後、「予約」ボタンをタッチして予約を求める。
これを受けた予約処理部５５は（Ｓ２６）、当該放送枠７０に対して予約済みのフラグを立てると共に、予約データベース６１に当該ユーザのメンバーＩＤ及び放送枠７０のＩＤを登録する（Ｓ２７）。
つぎに予約処理部５５は、図１１（ｂ）に示すように、予約番号を明示した予約完了の告知画面７１をマルチメディア端末１３のディスプレイ３８上に表示させる（Ｓ２８）。
【００３５】
つぎにユーザは、指定された期間内（例えば３日以内）に所定の決済方法に従って放映料の支払を済ませ、当該放送枠７０を購入する。
以下、図１２のフローチャートに従い、放送枠７０の購入に係る処理手順について説明する。
まず、ユーザは図５のメニュー画面において▲３▼「放送枠購入」ボタンをタッチする。
これを受けたセンターサーバ１２の認証処理部５１からは（Ｓ３０）、図１３（ａ）に示すように、メンバーＩＤの入力を求めるフォーム７２が送信される（Ｓ３１）。
これに対してユーザが自己のＩＤを入力して「決定」ボタンをタッチすると、認証処理部５０はユーザデータベース５８を参照して当該ユーザの正当性を確認する（Ｓ３２）。
この認証ステップをクリアすると、決済処理部５６は予約データベース６１を参照し、当該ユーザに関連付けられた予約案件を抽出すると共に（Ｓ３３）、ユーザデータベース５８を参照し、当該ユーザに関連付けられた専用プリペイドカードの残額を確認する（Ｓ３４）。
【００３６】
決済処理部５６は、これらの結果に基づいて放送枠予約一覧表を生成し、マルチメディア端末１３に送信する（Ｓ３５）。図１３（ｂ）は、マルチメディア端末１３のディスプレイ３８に表示された放送枠予約一覧表７３を示すものであり、当該ユーザの予約番号、放映料、及びプリペイドカードの残額が表示されている。
ここでユーザが特定の予約案件に関する「購入」ボタンをタッチすると、この購入要求を受信した決済処理部５６は（Ｓ３６）、１０，０００円の残額から７，０００円の放映料を引き落とす決済処理を実行し（Ｓ３７）、放送枠７０の売買を成立させる。もちろん、プリペイドカードの残額に対する減額更新処理も同時に実行される。
また、決済処理部５６は、予約データベース６１及び放送枠データベース６０に購入済みのフラグを立てる（Ｓ３８）。
【００３７】
プリペイドカードの残額に不安を覚えたユーザは、残額の積み増しを行う。
以下、図１４のフローチャートに従い、プリペイド残額の増額に係る処理手順について説明する。
まず、ユーザはコンビニの店頭やマルチメディア端末１３から、専用のプリペイドカードを購入する。このプリペイドカードには、額面に対応したプリペイド番号が記載されている。
つぎにユーザは、図１３（ｂ）の画面において「充当」ボタンをタッチし、残額の積み増しを要求する。これを受けた決済処理部５６からは（Ｓ４０）、図１５（ａ）に示すように、プリペイド番号の入力を求めるフォーム７４が送信される（Ｓ４１）。
これに対しユーザがプリペイド番号を入力すると、これを受けた決済処理部５６は（Ｓ４２）、図１５（ｂ）に示すように当該プリペイド番号に関連付けられた額面分（例えば１０，０００円分）をプリペイド残額に加算すると共に（Ｓ４３）、当該プリペイド番号について使用済のフラグを立てる（Ｓ４４）。
【００３８】
この実施の形態においては、上記のように専用のプリペイドカードを用いて放映料の決済を行うことを前提にしているが、現金やクレジットカード、あるいは汎用のプリペイドカードを用いて放映料の決済を行うことも当然に可能である。この場合、決済方法の選択画面をマルチメディア端末１３のディスプレイ３８上に表示させ、放送枠７０の購入を求めたユーザに対し決済方法の選択を促す。
【００３９】
ここでユーザが現金決済を選択した場合、放映料に相当する現金の投入を求めるメッセージがディスプレイ３８上に表示され、マルチメディア端末１３の現金処理ユニット３５を介して現金の収受や釣銭の返却が実行される。
現金処理ユニット３５から出力された領収情報を決済処理部５６が受信した時点で、当該放送枠７０の売買契約が成立し、予約データベース６１及び放送枠データベース６０に購入済みのフラグが立てられる。
【００４０】
現金処理ユニット３５を用いる代わりに、コンビニのレジにおいて現金の支払を行うこともできる。
この場合、決済処理部５６は決済サーバ２１を介してマルチメディア端末１３の発券ユニット４４から請求伝票を出力させる。この請求伝票には、請求金額（放映料）及び伝票番号が、文字及びバーコードにて表記されている。
ユーザはこの請求伝票をレジまで持参し、請求金額分の現金を支払う。現金を受け取ったコンビニのスタッフは、ＰＯＳレジ端末２２のバーコードスキャナによって金額情報及び伝票番号を読み取り、決済サーバ２１に送信する。
この現金領収情報を決済サーバ２１経由で決済処理部５６が受信した時点で、当該放送枠７０の売買契約が成立し、予約データベース６１及び放送枠データベース６０に購入済みのフラグが立てられる。
【００４１】
ユーザがクレジットカードや汎用のプリペイドカードによる決済を選択した場合、決済処理部５６はユーザに対しクレジットカードやプリペイドカードをマルチメディア端末１３のカードリーダ３６に挿入するようマルチメディア端末１３のディスプレイ３８を通じて指示する。
これに従ってユーザがクレジットカードやプリペイドカードをカードリーダ３６に挿入すると、カードリーダ３６によって読み取られたカード情報（カード番号等）がセンターサーバ１２に送信される。
これを受けた決済処理部５６は、決済金額情報及びカード情報をクレジットカード会社やプリペイドカード会社のホストコンピュータ１５，１６に送信し、カード決済の可否を照会する。
ここで肯定的な回答が得られた場合、当該ユーザによる放送枠７０の購入が成立することとなる。
【００４２】
仮メンバー登録を済ませ、システム運用者から契約書類が送付されたユーザは、パソコン１８やマルチメディア端末１３からセンターサーバ１２にアクセスし、パスワードの登録を要求する。
これを受けたユーザ登録部５０からは、パスワードの入力フォームが送信される（図示省略）。
この入力フォームを通じてユーザが任意のパスワードを入力すると、ユーザ登録部５０を介してユーザデータベース５８内に正式メンバーとして登録される。これ以降、ユーザに対して発行されていた仮メンバーＩＤが正式のメンバーＩＤとして利用可能となる。
【００４３】
上記のようにして放送枠７０の予約・購入及びパスワードの登録を済ませたユーザは、広告情報を作成してセンターサーバ１２に登録することが認められる。
以下、図１６のフローチャートに従い、広告情報の作成に係る処理手順について説明する。
まずユーザは、図５のメニュー画面において▲４▼「広告作成」ボタンをタッチする。
これを受けたセンターサーバ１２の認証処理部５１からは（Ｓ５０）、図１７（ａ）に示すように、メンバーＩＤ及びパスワードの入力を求めるフォーム７５が送信される（Ｓ５１）。
これに対してユーザが自己のＩＤ及びパスワードを入力して「決定」ボタンをタッチすると、認証処理部５１はユーザデータベース５８を参照して当該ユーザの正当性を確認する（Ｓ５２）。
この認証ステップをクリアすると、図１７（ｂ）に示すように、当該ユーザに関連付けられた予約案件及び購入案件の一覧表７６が予約処理部５５から送信される（Ｓ５３）。
この一覧表７６に複数の案件が列挙されている場合、ユーザは広告情報の作成を希望する案件に係る「広告作成」ボタンをタッチする。
【００４４】
この広告作成要求を受けた広告作成支援部５２は（Ｓ５４）、図１８（ａ）に示すように、広告作成に関するメニューページ７７をマルチメディア端末１３に送信してディスプレイ３８に表示させる（Ｓ５５）。
ここでユーザが「音声付き動画の録画」をタッチして選択した場合、これを受けた広告作成支援部５２は（Ｓ５６）、図１８（ｂ）に示すように、音声付き動画の録画用ページ７８をマルチメディア端末１３に送信してディスプレイ３８に表示させる（Ｓ５７）。
【００４５】
これに対しユーザは、マルチメディア端末１３に備え付けられたＣＣＤカメラ４０に向かい、「録画」ボタンをタッチして宣伝文句を発声する。
この場合、放送枠７０の秒数が経過した時点で自動的に映像の録画及び音声の録音が停止するように設定されているが、ユーザは「停止」ボタンをタッチして自発的に録画・録音を停止させることもできる。
また、ユーザは録画・録音が完了した後に「再生」ボタンをタッチし、録画内容を再生領域７９に表示させることもできる。
この内容に満足したユーザは、「ＯＫ」ボタンをタッチする。この結果、マルチメディア端末１３のＣＰＵ３０がハードディスク装置３２に格納された専用のプログラムに従って音声付きの動画ファイルを生成し、ハードディスク装置３２に一時的に格納する。
再生された動画や音声の内容が気に入らない場合、ユーザは「やり直し」ボタンをタッチして最初から録画を撮り直すこともできる。
【００４６】
ユーザは、音声付き動画以外の広告情報を作成することもできる。
例えば、メニューページ７７において「静止画の撮影」ボタンをユーザがタッチした場合、図示しない静止画撮影用ページがディスプレイ３８上に表示され、ＣＣＤカメラ４０を用いた静止画（ユーザの肖像や手にしたフリップ等）の撮影が実現される。撮影内容に満足したユーザが「ＯＫ」ボタンをタッチすると、マルチメディア端末１３によって静止画ファイルが生成される。
また、静止画の撮影に続いてユーザがメニューページ７７の「メッセージの録音」ボタンをタッチすると、音声録音用ページがディスプレイ３８上に表示され、ユーザの肉声が録音される。録音内容に満足したユーザが「ＯＫ」ボタンをタッチすると、マルチメディア端末１３によって音声ファイルが生成される。
さらに、ユーザがメニューページ７７の「テキストの入力」ボタンをタッチすると、テキスト入力欄及びソフトウェアキーボードが表示されたテキスト入力用ページがディスプレイ３８上に表示される。このキーボードを介して任意の文字を入力し、内容を確認してユーザが「ＯＫ」ボタンをタッチすると、マルチメディア端末１３によってテキストファイルが生成される。
因みに、ユーザが音声付き動画ファイルや静止画ファイルと共にテキストファイルを作成した場合、当該文字列はテレビ放送時に動画や静止画の表面に固定表示あるいはフロー表示されることとなる。これに対し、テキストファイルのみを作成した場合には文字列のみがテレビ表示され、音声ファイルと共にテキストファイルを作成した場合には、文字列及び音声によるテレビ放送が行われることとなる。
【００４７】
以上要するに、ユーザは少なくとも以下の組合せパターンの広告情報を作成することが可能となる。
（１）　「音声付きの動画ファイル」
（２）　「静止画ファイル」
（３）　「テキストファイル」
（４）　「静止画ファイル＋音声ファイル」
（５）　「テキストファイル＋音声ファイル」
（６）　「音声付きの動画ファイル＋テキストファイル」
（７）　「静止画ファイル＋テキストファイル」
（８）　「静止画ファイル＋音声ファイル＋テキストファイル」
【００４８】
広告用の音声付き動画コンテンツを所定のファイル形式にて作成済みのユーザは、これを広告情報として利用することもできる。
例えば、広告用の音声付き動画ファイルを会社や自宅のパソコン１８、あるいは専門のスタジオで作成したユーザは、ＣＦカードやＳＤカード等の記録メディアに格納してコンビニに持参し、上記メニューページ７７に表示された「音声付き動画ファイルの選択」ボタンをタッチする（図１８（ａ））。
この結果、図示は省略したが、ディスプレイ３８上に「ＳＤカードをスロットに挿入してください」といった指示メッセージが表示される。
これに従ってユーザがＳＤカードをスロット内に挿入すると、ＳＤカードドライブ３４によって動画ファイルが読み出され、ディスプレイ３８上に動画ファイルのタイトル一覧が表示される。
この中から目的の動画ファイルを選択すると、当該動画ファイルが一時的にマルチメディア端末１３のハードディスク装置３２内にコピーされる。
同様にユーザは、メニューページ７７の「静止画ファイルの選択」ボタンや「音声ファイルの選択」ボタンをタッチすることで、ＳＤカード等の記録メディアに格納した作成済みの静止画ファイルや音声ファイルを広告情報として指定することができる。
【００４９】
メニューページ７７の「広告の確認」ボタンをタッチすると、ユーザが作成または選択したファイルによって構成される広告内容が、マルチメディア端末１３のディスプレイ３８及びスピーカ４２を通じて再生される。
これを視聴して内容に納得した場合、ユーザは「広告の登録」ボタンをタッチする。この結果、ユーザが作成または選択した各種ファイルが、マルチメディア端末１３からセンターサーバ１２に送信される。
この広告用ファイルを受信した広告情報登録部５３は（Ｓ５８）、これらと予約番号（放送枠）に関連付けて広告データベース５９内に格納する（Ｓ５９）。
再生された広告内容に満足できない場合、ユーザは気に入らない部分を作成し直すことができる。例えば、テキストの文言が気になる場合には「テキストの入力」ボタンをタッチし、テキストの入力を最初からやり直したり、部分的な訂正を行う。
【００５０】
なお、上記したメニューページ７７や各種広告用ファイルの作成支援ページを表示させる機能をマルチメディア端末１３に担わせることもできる。
例えば、これらの表示機能を実現するためのプログラムをマルチメディア端末１３のハードディスク装置３２やメモリ（ＲＯＭ）３１内に格納しておき、センターサーバ１２の広告作成支援部５２からの指令を受けてこれらのプログラムが起動する仕組みを設けておけばよい。
【００５１】
広告データベース５９内に格納された広告情報は、広告情報配信部５７によってユーザが指定したＣＡＴＶ局の広告関連情報管理サーバ１４に順次送信される。
これを受けたＣＡＴＶ用広告関連情報管理サーバ１４は、広告情報を放送可能な形式に変換処理した後、ユーザが予約した時間帯（放送枠）において放送を行う。
なお、放送前に広告情報の内容をＣＡＴＶ局のスタッフが視聴し、放送コードに抵触しないことをチェックすることが望ましい。
【００５２】
放送枠の空き情報は、ＣＡＴＶ局のサーバ１４から定期的にセンターサーバ１２に送信され、放送枠登録部５４によって放送枠データベース６０内に格納される。
ユーザは、上記のように放送枠を日時単位でスポット的に予約・購入する以外に、特定の時間帯を月単位、週単位でまとめて予約・購入することもできる。
また、一つの放送枠（原則１５秒）では時間的に足りない場合には、連続する複数の放送枠をセットで予約・購入し、比較的長時間の広告情報を放送することもできる。
【００５３】
なお、放送枠が埋まらない場合にはＣＡＴＶ局において何らかのコンテンツを準備する都合があるため、放送枠の予約・購入には放送日時を基点にして一定の期限（締切）が設定されている。
一例を挙げれば、月単位で放送枠を購入する場合には、少なくとも放送日時の４週間前までに予約を行い、それから２週間以内に決済を完了することが義務付けられる。上記の締切までに予約を入れても、それから２週間以内に決済を完了できない場合には、当然ながら当該予約は取り消されることとなる。
また、週単位で放送枠を購入する場合には、少なくとも放送日時の２週間前までに予約を行い、それから１週間以内に決済が完了することが義務付けられる。
同様に、日時単位で放送枠を購入する場合には、少なくとも放送日時の６日前までに予約を行い、それから３日以内に決済が完了することが義務付けられる。
なお、各局の放送機器や放送に関する運用ルールがそれぞれ異なるため、放送枠の予約、購入、決済などのタイミングについては、ビジネスとして成立させるために慎重に決定することが重要である。
【００５４】
上記にあっては、マルチメディア端末１３を通じて放送枠の予約及び購入を行う例を説明したが、ユーザは会社や自宅のパソコン１８からインターネット１７経由でセンターサーバ１２のＷｅｂサイトにアクセスし、放送枠の予約及び購入を行うこともできる。
例えば、ユーザがパソコン１８経由で放送枠の予約を行う場合、予約処理部５５からは図１１（ａ）に示したのと同様の放送枠選択フォームが送信され、パソコン１８のＷｅｂブラウザ上に表示される。この選択フォームを通してユーザが特定のＣＡＴＶ局における特定日時の放送枠を選択すると、予約処理部５５は当該放送枠のＩＤを予約番号に関連付けて予約データベース６１内に登録する。この予約番号は、Ｗｅｂページや電子メールを通じてユーザのパソコン１８に送信される。
【００５５】
また、ユーザがパソコン１８経由で放送枠の購入を行う場合、決済処理部５６からは図１３（ｂ）に示したのと同様の選択フォームが送信され、パソコン１８のＷｅｂブラウザ上に表示される。この選択フォームを通してユーザが特定の予約案件について決済を求めると、決済処理部５６はユーザのプリペイド残額を用いた放映料の決済処理を実行し、売買契約を成立させる。
プリペイドカードの代わりに、ユーザはクレジットカードや汎用プリペイドカードを用いて放映料を決済することもできる。
【００５６】
さらにユーザは、放送枠の購入に際し最寄りのコンビニにおける支払いを要求することもできる。
この場合、放送枠の購入要求を受信したセンターサーバ１２の決済処理部５６からコンビニ本部の決済サーバ２１に対して決済金額情報及び決済期限情報が送信され、請求番号の発行を依頼する。
つぎに、決済処理部５６は決済サーバ２１から送信された請求番号及びそのバーコードをユーザのパソコン１８に送信する。
ユーザは、パソコン１８のディスプレイに表示されたバーコードをプリントアウトするか、請求番号をメモし、最寄りのコンビニを訪れる。
ユーザがコンビニのレジにおいて現金を支払うと、コンビニのスタッフがＰＯＳレジ端末２２のバーコードリーダやキーによって請求番号及び領収金額を入力し、決済サーバ２１に送信する。
そして、決済サーバ２１から現金の領収による決済が完了した旨の情報がセンターサーバ１２に送信された時点で、決済処理部５６はユーザによる当該放送枠の購入を認定し、予約データベース６１及び放送枠データベース６０に購入済みのフラグを立てる。
【００５７】
ユーザは、自宅や会社内において作成した広告情報を、パソコン１８を用いてインターネット１７経由でセンターサーバ１２に送信することもできる。
例えば、件名に予約番号を記述すると共に、広告用の動画ファイルを添付ファイルとして指定した電子メールを作成し、センターサーバ１２のメールアドレス宛に送信する。
この電子メールを受信した広告情報登録部５３は、添付の動画ファイルを当該予約番号に関連付けて広告データベース５９内に格納する。
【００５８】
上記にあっては、ＣＡＴＶ局の放送枠を一般ユーザが購入する例について説明したが、このシステム１０を用いてＣＳＴＶ局やＢＳＴＶ局といった各種テレビ局の放送枠を一般ユーザに販売することも当然に可能である。
この場合、ＣＡＴＶ用広告関連情報管理サーバ１４の代わりにＣＳＴＶ用広告関連情報管理サーバやＢＳＴＶ用広告関連情報管理サーバを設置し、広告情報配信部５７から送信された広告情報に対して必要な変換処理を施してテレビ放送するようにすればよい。
また、上記にあっては、ユーザが一旦放送枠の予約を行った後、一定期間内に放送枠の購入を行う例を説明したが、予約と購入を連続して行うことも当然に可能である。
あるいは、予約ステップを完全に省略し、最初から特定の放送枠を購入する仕組みにすることもできる。
【００５９】
上記にあっては、放送エリアや放送日時（時間帯）に基づいて各ユーザが放送枠を予約・購入する例を説明したが、一般開放された放送枠の前後の放送内容、すなわち番組本編や番組スポンサの放送内容に基づいて放送枠を選択することも可能である。
例えば、ＣＳ放送やＢＳ放送の中でお気に入りの番組がある場合、ユーザはその番組中に自己の放送枠を確保することができれば高い満足感を得ることができる。
また、視聴率の高い番組中に放送枠を確保できれば、その分自己の広告情報の視聴率を高めることが可能となる。
あるいは、好感度の高い企業の広告に続く放送枠を確保することにより、自己の広告情報のイメージを向上させることもできる。
【００６０】
図１９は、あるＣＳＴＶ局における特定チャンネルの放送スケジュールを示すものであり、ある曜日の１１：００〜１２：００の時間帯には「テレビ個展」という番組が設定されている。
また、このテレビ個展の番組枠８０には、番組本編枠の他に、番組オーナや番組スポンサのための継続的な放送枠、及び一般ユーザのためのスポット的な放送枠が予め確保されている。
【００６１】
以下、図２０のフローチャートに従い、ユーザがスポット的な放送枠を確保する際の手順を説明する。
例えば、大学の美術部員であるユーザが学園祭の告知広告をテレビ個展中に流すことを希望する場合、パソコン１８からセンターサーバ１２のＷｅｂサイトにアクセスし、放送枠の予約を要求する（Ｓ６０）。
この結果、図２１の（ａ）に示すように、メンバーＩＤ及びパスワードの入力を求めるＷｅｂファイルが送信され、パソコン１８のＷｅｂブラウザ上に表示される。
これに対し所定の認証情報を入力すると、図２０（ｂ）に示すように、センターサーバ１２の予約処理部５５からテレビ局選択用のフォーム（Ｗｅｂファイル）が送信される（Ｓ６１）。
これに対しユーザが「ＣＳ」放送局を選択すると（Ｓ６２）、図２０（ｃ）に示すように、放送枠の予約が可能な番組がリスト表示された選択フォームが予約処理部から送信される（Ｓ６３）。
【００６２】
ここで「テレビ個展」にチェックを入れて「ＯＫ」ボタンをクリックすると（Ｓ６４）、図２０（ｄ）に示すように、放送枠の種別選択用フォームが送信され（Ｓ６５）、パソコン１８のＷｅｂブラウザ上に表示される。
これに対し、ユーザが「スポットユーザ登録」をクリックしてスポット枠の予約を求めると（Ｓ６６）、図２２に示すように、スポットユーザ登録用のフォーム８１が予約処理部５５からパソコン１８に送信され（Ｓ６７）、画面表示される。
このフォーム８１においてユーザが希望日を選択入力すると（Ｓ６８）、当日における空き情報が予約処理部５５から送信され（Ｓ６９）、フォーム８１上に表示される。因みに、図２２においては「スポット枠▲２▼」に空きがあるため、そこにチェックを入れることができる。
希望日に空きがない場合には、他の日を選択し直して空きを探せばよい。
【００６３】
上記フォーム８１中には、さらに広告選択ボタン８２が複数設けられている。
各広告選択ボタン８２は、当該番組のオーナ及びスポンサに対応しており、例えば番組オーナである「日米画廊連盟」のボタンをユーザがクリックして表示を要求すると（Ｓ７０）、日米画廊連盟のＰＲ用動画ファイルがセンターサーバ１２の広告情報配信部５７からパソコン１８にストリーミング配信される（Ｓ７１）。
ユーザは、当該動画ファイルをパソコン１８上で再生し、これを視聴することにより、放送枠購入費用の割引特典を獲得する。具体的には、スポット枠▲２▼の定価が３，０００円の場合、「日米画廊連盟」の広告情報を視聴することによって３００円（１０％）の割引が適用され、２，７００円で当該放送枠を購入することが可能となる。
もちろん、「日米画廊連盟」の他に「高橋ギャラリー」、「金子画材店」、「日本美大」の広告ファイルを視聴すれば、ユーザは合計で２５％の割引（７５０円）を受けることが可能となる。
この場合、予約処理部５５によって割引後の金額が予約データベース６１内に登録され（Ｓ７２）、決済処理部５６は割引後の金額に基づいて決済処理を実行する。
【００６４】
ユーザが上記のフォーム８１において放送枠の特定を行い、広告情報の視聴を済ませた後に「ＯＫ」ボタンをクリックすると、予約処理部５５から確認のＷｅｂページが送信され（図示省略）、これに対して「ＯＫ」をクリックすると（Ｓ７３）、予約データベース６１及び放送枠データベース６０内に予約済みの登録がなされる（Ｓ７４）。
後は、上記したのと同様の手順に従って指定された期間内に決済処理を済ますことにより、当該放送枠の購入が完了する。
もちろんユーザは、放送日時前に放映すべき広告情報を広告データベース５９内にアップロードする必要がある。
広告データベース５９内に格納された広告情報は、広告情報配信部５７によってユーザが指定したＣＳＴＶ局の広告関連情報管理サーバに送信される。
これを受けたＣＳＴＶ用広告関連情報管理サーバは、広告情報を放送可能な形式に変換処理した後、ユーザが予約した時間帯（放送枠）において放送を行う。
【００６５】
ユーザが、上記した単発的な放送枠の確保では満足できない場合には、希望の番組に関して継続的な放送枠である「番組スポンサ枠」を確保することができる。
この場合、ユーザは図２１の（ｄ）において、「番組スポンサ登録」をクリックする。この結果、図２３に示すように、センターサーバからパソコン１８に番組スポンサ登録用のフォーム８３が送信され、画面表示される。
ここでは、番組スポンサ枠▲１▼及び番組スポンサ枠▲３▼に空きがあるため、ユーザは何れかのチェックボックスにチェックを入れて放送枠を選択する。
【００６６】
つぎに、希望する契約期間を１ヶ月単位で選択入力すると、料金表示欄に購入金額が表示される。
この購入金額は、契約期間の長短及び番組や放送枠の価値に応じ、予約処理部５５によって算出される。例えば、視聴率の高い番組の場合にはその分１ヶ月当たりの単価が高額となる。
また、同じ番組内であっても、番組本編が始まる前の放送枠よりも、番組本編に挟まれた位置の放送枠の方が高視聴率が期待できるため、単価に差異を設けることもできる。
【００６７】
ユーザが「番組特性の参照」ボタンをクリックすると、センターサーバ１２の予約処理部５５から当該番組に関する様々な情報、例えば視聴率や視聴者の構成（男女比率、年齢比率等）が記述されたＷｅｂページが送信される。
また、ユーザが「番組内容の確認」ボタンをクリックすると、センターサーバから当該番組の趣旨や社会的意義、概要等が記述されたＷｅｂページが送信される。
【００６８】
ユーザが上記フォーム８３に必要事項を選択入力した後、「ＯＫ」ボタンをクリックすると、予約処理部５５から確認のＷｅｂファイルが送信され、これに対して「ＯＫ」をクリックすると、予約データベース６１及び放送枠データベース６０内に予約済みの登録がなされる。
後は、指定された期間内に決済処理を済ますことにより、当該放送枠の購入が完了し、晴れて番組スポンサの地位を確保することができる。
番組スポンサは、当該番組中の番組スポンサ枠において、自己の広告情報を定期的に放送することができる。また、他のユーザが当該番組に関してスポットユーザ登録を行う際には、上記のように割引を望むユーザに自己の広告情報が配信され、視聴される機会を得る。
【００６９】
ユーザは、希望の番組に関してオーナ登録を行い、番組オーナ枠を確保することもできる。
この場合、ユーザは図２１の（ｄ）において、「番組オーナ登録」をクリックする。この結果、図２４に示すように、センターサーバ１２の予約処理部５５からパソコン１８に番組オーナ登録用のフォーム８４が送信され、画面表示される。
ここでユーザが希望する契約期間を１ヶ月単位で選択入力すると、料金表示欄に購入金額が表示される。この購入金額は、契約期間の長短及び番組単価に応じて算出される。
ユーザは、必要に応じて「番組特性の参照」ボタン及び「番組内容の確認」ボタンをクリックし、当該番組に関する様々な情報をチェックする。
【００７０】
ユーザが上記フォーム８４に必要事項を選択入力した後、「ＯＫ」ボタンをクリックすると、予約処理部５５から確認のＷｅｂファイルが送信され、これに対して「ＯＫ」をクリックすると、予約データベース６１及び放送枠データベース６０内に予約済みの登録がなされる。
後は、指定された期間内に決済処理を済ますことにより、当該放送枠の購入が完了し、番組オーナの地位を確保することができる。
番組オーナは、当該番組中において比較的長時間の放送枠を確保することが可能であり、単なる自己のＰＲ放送のみならず、番組本編的な内容のコンテンツを放映することも可能となる。
また、スポット枠や番組スポンサ枠から上がった収益金の一部を領収する権利を番組オーナに付与することもできるし、番組中の放送枠に空きが生じた場合に穴埋めする義務を番組オーナに課すこともできる。
ただし、番組オーナも本質的には番組のスポンサに他ならず、番組オーナ枠は番組スポンサ枠の一種と観念することができる。
【００７１】
この番組オーナの場合、番組本編の内容が予めテレビ局の側で決められていることが前提であるが、一歩進めて、番組本編をも自由に編成できる権限をユーザに付与することもできる。
この場合、ユーザは図２１の（ｄ）において、「番組枠オーナ登録」をクリックし、自由放送枠の確保を求める。この結果、図２５に示すように、センターサーバ１２の予約処理部５５からパソコン１８に対し、番組枠オーナ登録用のフォーム８５が送信され、画面表示される。
【００７２】
ここでユーザは、まず番組フォーマットを選択する。この番組フォーマットは、一つの番組枠を時分単位で仕切るための雛型であり、番組枠オーナに割り振られる自由放送枠の他に、番組スポンサ枠及びスポット枠の配分パターンが予め設定されている。
例えば、番組フォーマットの「パターン１」をユーザが選択した場合、４つの自由放送枠を確保することができ、そこにおいて番組本編や広告を自由に放映することが認められる。また、このパターン１の場合には、それぞれ３つの番組スポンサ枠及びスポット枠が設定されており、番組枠オーナは各放送枠から上がった広告料の一部を領収することもできる。
【００７３】
つぎに、ユーザが希望時間及び契約期間を選択入力すると、料金表示欄に購入金額が表示される。
また、番組タイトル欄、及び番組概要欄に必要事項を入力した後、「ＯＫ」ボタンをクリックすると、予約処理部５５から確認のＷｅｂファイルが送信され、これに対して「ＯＫ」をクリックすると予約データベース６１及び放送枠データベース６０内に予約済みの登録がなされる。
後は、指定された期間内に決済処理を済ますことにより、当該自由放送枠の購入が完了し、番組枠オーナの地位を確保することができる。
【００７４】
番組枠オーナは、自己に割り振られた自由放送枠において放映するコンテンツを自ら準備し、インターネット経由でセンターサーバ１２の広告データベース５９にアップロードする。
広告データベース５９内に格納された放送コンテンツは、広告情報配信部５７によってユーザが指定したＣＳＴＶ局の広告関連情報管理サーバに送信される。
これを受けたＣＳＴＶ用広告関連情報管理サーバは、当該コンテンツを放送可能な形式に変換処理した後、番組枠オーナが購入した時間帯（自由放送枠）において放送を行う。
もちろん、放送前にコンテンツの内容をＣＳＴＶ局のスタッフが視聴し、放送コードに抵触しないことをチェックすることが望ましい。
【００７５】
このコンテンツが人気を博し、番組自体の視聴率が高まれば、その分番組スポンサ枠やスポット枠の単価を高く設定することが可能となり、収益率を上げることができる。
なお、番組枠オーナ登録の申込が番組枠の割当数を越える場合には、ＣＳＴＶ局あるいはシステム運用者の側で企画審査を行い、社会的意義が高く、かつ視聴率を稼げそうな企画に絞り込むことで調整すればよい。
また、一旦番組枠を付与した後も追跡審査を行い、視聴率の上がらない番組枠については他の企画と差し替えたり、他の時間帯に振り替えたりすることが望ましい。
【００７６】
【発明の効果】
この発明に係る放送枠販売システムによれば、ユーザはコンビニエンスストア等に設置されたマルチメディア端末や、自宅のパソコンなどの通信端末を操作することにより、通信ネットワーク経由で各テレビ局の放送枠を購入すると共に、当該放送枠において放映すべき広告情報をアップロードすることが可能となる。このため、従来のように大手の広告代理店を通して放送枠を確保したりＣＭを制作する場合に比べ、低コストでテレビＣＭを打つことが可能となる。
また、各テレビ局の放送枠をインターネット上で一元管理し、これをスポットユーザに広く開放することで、今まででは考えられなかったような地方の広告主を得られ、広告放送料収入も上がる。ユーザー（広告主）は、簡便にテレビの広告枠を押さえ、エリアを限定した広告戦略を立てることもできる。コンビニは、放送枠という新しい商品を扱うことで手数料収入を得ることができ、３者それぞれにメリットあるビジネスモデルと言える。
【図面の簡単な説明】
【図１】この発明に係る放送枠販売システムの全体イメージを示す概念図である。
【図２】マルチメディア端末のハードウェア構成例を示すブロック図である。
【図３】このシステムの主要な機能構成を示すブロック図である。
【図４】メンバー登録に係る処理手順を示すフローチャートである。
【図５】マルチメディア端末のディスプレイ上に表示されたサービスメニューを示すレイアウト図である。
【図６】マルチメディア端末のディスプレイ上に表示された個人情報入力フォームを示すレイアウト図である。
【図７】パソコンのディスプレイ上に表示された個人情報入力フォーム及びメンバーＩＤの告知フォームを示すレイアウト図である。
【図８】メンバー登録用紙を示すレイアウト図である。
【図９】放送枠の予約に係る処理手順を示すフローチャートである。
【図１０】マルチメディア端末から放送枠の予約を行う際の画面表示例を示すレイアウト図である。
【図１１】マルチメディア端末から放送枠の予約を行う際の画面表示例を示すレイアウト図である。
【図１２】放送枠の購入に係る処理手順を示すフローチャートである。
【図１３】マルチメディア端末から放送枠の購入を行う際の画面表示例を示すレイアウト図である。
【図１４】プリペイド残額の増額に係る処理手順を示すフローチャートである。
【図１５】マルチメディア端末からプリペイド残額の増額を行う際の画面表示例を示すレイアウト図である。
【図１６】広告情報の作成に係る処理手順を示すフローチャートである。
【図１７】マルチメディア端末から広告情報の作成を行う際の画面表示例を示すレイアウト図である。
【図１８】マルチメディア端末から広告情報の作成を行う際の画面表示例を示すレイアウト図である。
【図１９】あるＣＳＴＶ局における特定チャンネルの放送スケジュールを示す説明図である。
【図２０】ユーザがスポット枠を予約する際の手順を示すフローチャートである。
【図２１】ユーザが放送枠を予約する際の画面遷移図である。
【図２２】スポットユーザ登録用のフォームを示すレイアウト図である。
【図２３】番組スポンサ登録用のフォームを示すレイアウト図である。
【図２４】番組オーナ登録用のフォームを示すレイアウト図である。
【図２５】番組枠オーナ登録用のフォームを示すレイアウト図である。
【符号の説明】
１０　放送枠販売システム
１２　センターサーバ
１３　マルチメディア端末
１４　ＣＡＴＶ用広告関連情報管理サーバ
１５　クレジットカード会社のホストコンピュータ
１６　プリペイドカード会社のホストコンピュータ
１７　インターネット
１８　ユーザのパソコン
１９　ＣＡＴＶ網
２０　テレビ
２１　コンビニ本部の管理する決済サーバ
２２　ＰＯＳレジ端末
３０　ＣＰＵ
３１　メモリ
３２　ハードディスク装置
３３　ＣＦカードドライブ
３４　ＳＤカードドライブ
３５　現金処理ユニット
３６　カードリーダ
３８　ディスプレイ
３９　タッチパネル
４０　ＣＣＤカメラ
４１　マイク
４２　スピーカ
４３　通信制御装置
４４　発券ユニット
５０　ユーザ登録部
５１　認証処理部
５２　広告作成支援部
５３　広告情報登録部
５４　放送枠登録部
５５　予約処理部
５６　決済処理部
５７　広告情報配信部
５８　ユーザデータベース
５９　広告データベース
６０　放送枠データベース
６１　予約データベース
６２　個人情報入力フォーム
６３　仮メンバーカード
６４　個人情報入力フォーム
６５　登録用紙
６６　仮メンバーカードの紙片
６７　メンバーＩＤの入力を求めるフォーム
６８　放送地域選択フォーム
６９　放送枠一覧表
７０　放送枠
７１　予約完了の告知画面
７２　メンバーＩＤの入力を求めるフォーム
７３　放送枠予約一覧表
７４　プリペイド番号の入力を求めるフォーム
７５　メンバーＩＤ及びパスワードの入力を求めるフォーム
７６　予約案件及び購入案件の一覧表
７７　広告作成に関するメニューページ
７８　音声付き動画の録画用ページ
７９　録画内容を再生領域
８０　テレビ個展の番組枠
８１　スポットユーザ登録用のフォーム
８２　広告選択ボタン
８３　番組スポンサ登録用のフォーム
８４　番組オーナ登録用のフォーム
８５　番組枠オーナ登録用のフォーム
【図１】
2004129190.tif 000003
【図２】
2004129190.tif 000004
【図３】
2004129190.tif 000005
【図４】
2004129190.tif 000006
【図５】
2004129190.tif 000007
【図６】
2004129190.tif 000008
【図７】
2004129190.tif 000009
【図８】
2004129190.tif 000010
【図９】
2004129190.tif 000011
【図１０】
2004129190.tif 000012
【図１１】
2004129190.tif 000013
【図１２】
2004129190.tif 000014
【図１３】
2004129190.tif 000015
【図１４】
2004129190.tif 000016
【図１５】
2004129190.tif 000017
【図１６】
2004129190.tif 000018
【図１７】
2004129190.tif 000019
【図１８】
2004129190.tif 000020
【図１９】
2004129190.tif 000021
【図２０】
2004129190.tif 000022
【図２１】
2004129190.tif 000023
【図２２】
2004129190.tif 000024
【図２３】
2004129190.tif 000025
【図２４】
2004129190.tif 000026
【図２５】
2004129190.tif 000027